【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
人体により排出された尿を除去するための吸引システムであって、
ａ．該人体により排出された尿を回収するための液体回収領域を有する身体インターフェースデバイスと、
ｂ．該尿に接触せずに、該液体回収領域において排出された尿の存在を検出するための、該液体回収領域に隣接するが該液体回収領域の外部に配置されるか、または配置可能である液体センサであって、該液体センサは、検出された尿を示す電気出力を生成する、液体センサと
を備える、吸引システム。
【請求項２】
前記身体インターフェースデバイスは、使い捨て可能なデバイスである、請求項１に記載の吸引システム。
【請求項３】
前記液体センサは、前記身体インターフェースデバイスから分離しているか、または分離可能である、請求項１に記載の吸引システム。
【請求項４】
前記液体センサは、前記身体インターフェースデバイスに永久的に取り付けられる、請求項１に記載の吸引システム。
【請求項５】
前記液体センサは、異なる身体インターフェースデバイスとともに複数回使用されるように構成される、請求項１に記載の吸引システム。
【請求項６】
前記液体センサを前記身体インターフェースデバイスに取り外し可能に取り付けるための取り付け部をさらに備える、請求項１に記載の吸引システム。
【請求項７】
前記身体インターフェースデバイスの上に着用可能であるガーメントをさらに備え、該ガーメントは、該身体インターフェースデバイスに隣接する動作検知位置に前記液体センサを係留するように構成される、請求項１に記載の吸引システム。
【請求項８】
前記身体インターフェースデバイスは、男性用または女性用尿器を含み、前記ガーメントは、一着のブリーフを含む、請求項７に記載の吸引システム。
【請求項９】
前記ガーメントおよび前記液体センサのうちの少なくとも１つは、該ガーメントに該液体センサを係留するための保持部を備える、請求項７に記載の吸引システム。
【請求項１０】
前記液体センサは、静電容量センサ、超音波センサ、圧電センサ、電気光学センサ、および温度センサから選択される、請求項１に記載の吸引システム。
【請求項１１】
前記身体インターフェースデバイスは、前記液体回収領域に隣接する前記液体センサを受け入れるためのポケットまたは凹部を備える、請求項１に記載の吸引システム。
【請求項１２】
前記液体センサは、静電容量センサであり、前記身体インターフェースデバイスは、該静電容量センサが電場を投射可能である材料から作製される壁または壁部分を備える、請求項１に記載の吸引システム。
【請求項１３】
前記液体センサは、超音波センサであり、前記身体インターフェースデバイスは、超音波が通過可能である材料から作製される壁または壁部分を備える、請求項１に記載の吸引システム。
【請求項１４】
前記液体センサは、電気光学センサであり、前記身体インターフェースデバイスは、光学的放射が通過可能である材料から作製される壁または壁部分を備える、請求項１に記載の吸引システム。
【請求項１５】
前記液体センサは、温度センサであり、前記身体インターフェースデバイスは、膜に接触する前記液体回収領域における尿の温度に該温度センサが曝されることを可能にするための膜を備える、請求項１に記載の吸引システム。
【請求項１６】
前記身体インターフェースデバイスを前記身体に解放可能に取り付けるための皮膚接着剤をさらに備える、請求項１に記載の吸引システム。
【請求項１７】
前記身体インターフェースデバイスは、女性用尿器、男性用尿器、男性用コンドーム、人工膀胱身体装具、およびカテーテルから選択される、請求項１に記載の吸引システム。
【請求項１８】
人体により排出された尿を除去するための吸引システムであって、
ａ．該人体により排出された尿を回収するための液体回収領域を有する身体インターフェースデバイスと、
ｂ．該尿に接触せずに、該液体回収領域において排出された尿の存在を検出するための、該液体回収領域に隣接するが該液体回収領域の外部に配置されるか、または配置可能である液体センサであって、該身体インターフェースデバイスから分離しているか、または分離可能であるセンサと
を備える、吸引システム。
【請求項１９】
人体により排出された尿を除去するための吸引システムであって、
ａ．液体センサであって、該液体センサは、該尿に接触せずに、該センサに近接する該身体から排出された尿を検出するように構成され、検出された尿を示す電気出力を生成し、かつ静電容量センサ、超音波センサ、圧電センサ、光学センサ、温度センサから選択される、液体センサと、
ｂ．該身体上に着用されるように、かつ該身体により排出された尿を検知するために、生殖器部における動作可能位置に該液体センサを保持するように構成されるブリーフと
を備える、吸引システム。
【請求項２０】
前記尿を受け入れるための液体回収領域を有する身体インターフェースデバイスをさらに備え、前記液体センサは、該液体回収領域の外部に配置され、該液体回収領域内における尿を検出するように構成される、請求項１８に記載の吸引システム。
【請求項２１】
前記ブリーフは、前記身体に対する動作位置に前記身体インターフェースデバイスを保持するようにさらに構成される、請求項１９に記載の吸引システム。
【請求項２２】
前記液体センサからの前記出力に応答し、かつ該液体センサにより液体が検出される場合に、前記身体インターフェースデバイスから液体を吸引するための吸引力を生成するように構成される吸引ユニットをさらに備える、請求項１９に記載の吸引システム。
【請求項２３】
前記液体センサは、前記液体に接触せずに、該センサに近接する前記身体から排出された液体を検出するように構成され、該センサは、静電容量センサ、超音波センサ、圧電センサ、および光学センサから選択される、請求項１９に記載の吸引システム。
【請求項２４】
前記液体センサは、前記身体から排出された液体を回収するための身体インターフェースデバイスの液体回収領域に隣接するがその外部に配置されたとき、該液体回収領域の液体の存在を検出するように構成される、請求項１９に記載の吸引システム。
【請求項２５】
前記液体センサを身体インターフェースデバイスまたはオーバーガーメントに取り外し可能に取り付けるための取り付け部をさらに備える、請求項１９に記載の吸引システム。
【請求項２６】
人体により排出された液体を除去するための吸引システムを用意する方法であって、
ａ．該人体により排出された液体を回収するための液体回収領域を有する身体インターフェースデバイスを提供することと、
ｂ．該液体に接触せずに、該液体回収領域において排出された液体の存在を検出するための液体センサであって、検出された液体を示す電気出力を生成する液体センサを提供することと、
ｃ．該身体インターフェースデバイスおよび該液体センサに連結可能である吸引ユニットであって、該液体センサによる液体の検出に応答して、該身体インターフェースデバイスから液体を吸引するための吸引力を生成するように動作可能である吸引ユニットを提供することと
を含む、方法。
【請求項２７】
前記液体センサは、前記身体インターフェースデバイスから分離しているか、または分離可能である、請求項２５に記載の方法。
【請求項２８】
前記液体センサは、前記身体インターフェースデバイスに永久的に取り付けられる、請求項２５に記載の方法。
【請求項２９】
前記身体インターフェースデバイスは、女性用尿器、男性用尿器、男性用コンドーム、人工膀胱身体装具、およびカテーテルから選択される、請求項２５に記載の方法。
【請求項３０】
前記液体センサは、静電容量センサ、超音波センサ、圧電センサ、電気光学センサ、および温度センサから選択される、請求項２５に記載の方法。
【手続補正２】
【補正対象書類名】明細書
【補正対象項目名】０００７
【補正方法】変更
【補正の内容】
【０００７】
商業的必要性を満たすために、吸引型液体除去システムの従来技術の設計を、特に、尿検出の観点から改善すること、ならびに顧客による受け入れを改善することが望ましい。
例えば、本発明は以下の項目を提供する。
（項目１）
人体により排出された尿を除去するための吸引システムであって、
ａ．該人体により排出された尿を回収するための液体回収領域を有する身体インターフェースデバイスと、
ｂ．該尿に接触せずに、該液体回収領域において排出された尿の存在を検出するための、該液体回収領域に隣接するがその外部に配置されるか、または配置可能である液体センサであって、検出された尿を示す電気出力を生成するセンサと
を備える、吸引システム。
（項目２）
上記身体インターフェースデバイスは、使い捨て可能なデバイスである、項目１に記載の吸引システム。
（項目３）
上記液体センサは、上記身体インターフェースデバイスから分離しているか、または分離可能である、項目１に記載の吸引システム。
（項目４）
上記液体センサは、上記身体インターフェースデバイスに永久的に取り付けられる、項目１に記載の吸引システム。
（項目５）
上記液体センサは、異なる身体インターフェースデバイスとともに複数回使用されるように構成される、項目１に記載の吸引システム。
（項目６）
上記液体センサを上記身体インターフェースデバイスに取り外し可能に取り付けるための取り付け部をさらに備える、項目１に記載の吸引システム。
（項目７）
上記身体インターフェースデバイスの上に着用可能であるガーメントさらに備え、該ガーメントは、該身体インターフェースデバイスに隣接する動作検知位置に上記液体センサを係留するように構成される、項目１に記載の吸引システム。
（項目８）
上記身体インターフェースデバイスは、男性用または女性用尿器を含み、上記ガーメントは、ブリーフを含む、項目７に記載の吸引システム。
（項目９）
上記ガーメントおよび上記液体センサのうちの少なくとも１つは、該ガーメントに該液体センサを係留するための保持部を備える、項目７に記載の吸引システム。
（項目１０）
上記液体センサは、静電容量センサ、超音波センサ、圧電センサ、電気光学センサ、および温度センサから選択される、項目１に記載の吸引システム。
（項目１１）
上記身体インターフェースデバイスは、上記液体回収領域に隣接する上記液体センサを受け入れるためのポケットまたは凹部を備える、項目１に記載の吸引システム。
（項目１２）
上記液体センサは、静電容量センサであり、上記身体インターフェースデバイスは、該静電容量センサが電場を投射可能である材料から作製される壁または壁部分を備える、項目１に記載の吸引システム。
（項目１３）
上記液体センサは、超音波センサであり、上記身体インターフェースデバイスは、超音波が通過可能である材料から作製される壁または壁部分を備える、項目１に記載の吸引システム。
（項目１４）
上記液体センサは、電気光学センサであり、上記身体インターフェースデバイスは、光学的放射が通過可能である材料から作製される壁または壁部分を備える、項目１に記載の吸引システム。
（項目１５）
上記液体センサは、温度センサであり、上記身体インターフェースデバイスは、膜に接触する上記液体回収領域における尿の温度に該温度センサが曝されることを可能にするための膜を備える、項目１に記載の吸引システム。
（項目１６）
上記身体インターフェースデバイスを上記身体に解放可能に取り付けるための皮膚接着剤をさらに備える、項目１に記載の吸引システム。
（項目１７）
上記身体インターフェースデバイスは、女性用尿器、男性用尿器、男性用コンドーム、人工膀胱身体装具、およびカテーテルから選択される、項目１に記載の吸引システム。
（項目１８）
人体により排出された尿を除去するための吸引システムであって、
ａ．該人体により排出された尿を回収するための液体回収領域を有する身体インターフェースデバイスと、
ｂ．該尿に接触せずに、該液体回収領域において排出された尿の存在を検出するための、該液体回収領域に隣接するがその外部に配置されるか、または配置可能である液体センサであって、該身体インターフェースデバイスから分離しているか、または分離可能であるセンサと
を備える、吸引システム。
（項目１９）
人体により排出された尿を除去するための吸引システムであって、
ａ．液体センサであって、該液体センサは、該尿に接触せずに、該センサに近接する該身体から排出された尿を検出するように構成され、検出された尿を示す電気出力を生成し、かつ静電容量センサ、超音波センサ、圧電センサ、光学センサ、温度センサから選択される、液体センサと、
ｂ．該身体上に着用されるように、かつ該身体により排出された尿を検知するために、生殖器部における動作可能位置に該液体センサを保持するように構成されるブリーフと
を備える、吸引システム。
（項目２０）
上記尿を受け入れるための液体回収領域を有する身体インターフェースデバイスをさらに備え、上記液体センサは、該液体回収領域の外部に配置され、該液体回収領域内における尿を検出するように構成される、項目１８に記載の吸引システム。
（項目２１）
上記ブリーフは、上記身体に対する動作位置に上記身体インターフェースデバイスを保持するようにさらに構成される、項目１９に記載の吸引システム。
（項目２２）
上記液体センサからの上記出力に応答し、かつ該液体センサにより液体が検出される場合に、上記身体インターフェースデバイスから液体を吸引するための吸引力を生成するように構成される吸引ユニットをさらに備える、項目１９に記載の吸引システム。
（項目２３）
上記液体センサは、上記液体に接触せずに、該センサに近接する上記身体から排出された液体を検出するように構成され、該センサは、静電容量センサ、超音波センサ、圧電センサ、および光学センサから選択される、項目１に記載の吸引システム。
（項目２４）
上記液体センサは、上記身体から排出された液体を回収するための身体インターフェースデバイスの液体回収領域に隣接するがその外部に配置されたとき、該液体回収領域の液体の存在を検出するように構成される、項目１に記載の吸引システム。
（項目２５）
上記液体センサを身体インターフェースデバイスまたはオーバーガーメントに取り外し可能に取り付けるための取り付け部をさらに備える、項目１に記載の吸引システム。
（項目２６）
人体により排出された液体を除去するための吸引システムを用意する方法であって、
ａ．該人体により排出された液体を回収するための液体回収領域を有する身体インターフェースデバイスを提供するステップと、
ｂ．該液体に接触せずに、該液体回収領域において排出された液体の存在を検出するための液体センサであって、検出された液体を示す電気出力を生成する液体センサを提供するステップと、
ｃ．該身体インターフェースデバイスおよび該液体センサに連結可能である吸引ユニットであって、該液体センサによる液体の検出に応答して、該身体インターフェースデバイスから液体を吸引するための吸引力を生成するように動作可能である吸引ユニットを提供するステップと
を含む、方法。
（項目２７）
上記液体センサは、上記身体インターフェースデバイスから分離しているか、または分離可能である、項目２５に記載の方法。
（項目２８）
上記液体センサは、上記身体インターフェースデバイスに永久的に取り付けられる、項目２５に記載の方法。
（項目２９）
上記身体インターフェースデバイスは、女性用尿器、男性用尿器、男性用コンドーム、人工膀胱身体装具、およびカテーテルから選択される、項目２５に記載の方法。
（項目３０）
上記液体センサは、静電容量センサ、超音波センサ、圧電センサ、電気光学センサ、および温度センサから選択される、項目２５に記載の方法。
（項目３１）
人体により排出された液体を除去するための吸引システムを用意する方法であって、
ａ．該人体により排出された尿を収容するための液体回収領域を有する身体インターフェースデバイスを提供するステップと、
ｂ．該液体に接触せずに、該液体回収領域において排出された液体の存在を検出するための液体センサであって、身体インターフェースデバイスから分離しているか、または分離可能である液体センサを提供するステップと、
該身体インターフェースデバイスおよび該液体センサに連結可能である吸引ユニットであって、該液体センサによる液体の検出に応答して、該身体インターフェースデバイスから液体を吸引するための吸引力を生成するように動作可能である吸引ユニットを提供するステップと
を含む、方法。